(57)【要約】【課題】特に小売書店で行う書籍類のシュリンク包装と盗難防止用ラベル貼着との自動処理を同時に行え、しかも、売場に設置しても違和感がないよう小型で、操作性、機能性及び経済性に優れた書籍類のラベリング機構付きシュリンク包装装置を提供することを課題とする。【解決手段】盗難被害に遭い易い書籍種と立ち読み被害に遭い易い書籍種とが一致すること着目し、シュリンク包装装置にラベリング機構を具設したもので、スライド落下によりフィルム被包された被包物を一旦係止載置し、その傾倒動作によって被包物をシュリンク機構部に移送するために介設したバケットに、ラベル片操出用の切欠孔を設けるとともに、バケット後方位にラベル片を連続仮着した剥離台紙を巻装したラベル供給ローラと、該剥離台紙を牽引する一対の回転駆動ローラと、剥離台紙の走行を前記切欠孔部位にて反転走行させる反転ローラとからなるラベル片供給機構を配設する。【選択図】　図１
2004018015.tif 000002
【特許請求の範囲】
【請求項１】
上位投入口附近より下方に斜設したスライド板上をスライド落下する被包物の表裏面を連続するシュリンクフィルムにて被包するとともにその後方側縁にて重合するシュリンクフィルムを溶着溶断し、更に、落下被包物をスライド板先端部直下にあってスライド板との隣接側が被包物載置時に傾倒可能なよう軸設されたバケットを介し、該バケット直下に水平に張設されシュリンクトンネル内を走行する搬送コンベア上に移載せしめるよう構成したシュリンク包装装置において、前記バケットにラベル操出用の切欠孔を設けるとともに、バケット後方位にラベル片を連続仮着した帯状の剥離台紙を巻装したラベル供給ローラと、該剥離台紙を牽引する一対の回転駆動ローラと、剥離台紙の走行を案内するガイドローラ及びバケット傾倒時に該バケットに設けられた切欠孔との対応位置に軸架された反転ローラとからなるラベル片供給機構を配設し、剥離台紙を反転ローラにより折り返し走行させることによりラベル片を先端側から徐々に剥離させ、バケット傾倒時には貼着面を上にバケット上に操出されるよう構成したことを特徴とするラベリング機構付きシュリンク包装装置。
【請求項２】
前記スライド板よりの落下被包物をバケット上にて係止するヘッドと、該ヘッドを先端に有しバケット傾倒時にバケット上に載置されている被包物を強制的に押し出すよう進出駆動するロッドとを備えたプッシャーを前記バケット支軸側後方附近に配設したことを特徴とする請求項１に記載のラベリング機構付きシュリンク包装装置。
【請求項３】
前記バケットの傾倒復帰動作に同期して上下駆動する上側転支ローラと、該上側転支ローラと対となりバケットに載置された被包物を挟持しながら送り出すための下側転支ローラとをそれぞれ前記バケットの上下対応位置に配設するとともに、バケット傾倒時に下側転支ローラの上部がバケット面より露出して操出されたラベル片が載上されるよう前記バケットに設けられた切欠孔を形成したことを特徴とする請求項２に記載のラベリング機構付きシュリンク包装装置。
【請求項４】
前記下側転支ローラに適宜手段をもって上方向への適度なスプリング附勢力が与えられていることを特徴とする請求項３に記載のラベリング機構付きシュリンク包装装置。
【発明の詳細な説明】
【０００１】
【発明の属する技術分野】
本発明は、主に書店での立ち読み防止のために行われるシュリンク包装と盗難防止用ラベルの貼着とを同時に又は選択的に行えるラベリング機構付きシュリンク包装装置に関する。
【０００２】
【従来の技術】
自動シュリンク包装装置は被包物をシュリンクフィルムで覆い、加熱炉を介して加熱収縮させ、固定保持しながら搬送する等の作業行程を自動的に行う装置で、主にフィルム供給機構、被包機構、シールカット機構、加熱機構及び搬送機構等によって構成されている。そして、従来の自動シュリンク包装装置の多くは、食品、雑貨、医薬品等、その包装作業が製造業者又は卸売業者によって一括して行われる商品を対象とするものが多く、必然的に大がかりで複雑な機構となり、操作が難解で極めて高価な装置となっている。
【０００３】
書籍類のシュリンク包装は、立ち読み、付録物の散乱、汚染及び破損等の防止を目的とし、各小売店がその都度独自に、しかも限られた店舗スペースで機械操作に不慣れな店員によって行わなければならない等の事情があるため、前記した従来の大がかりで複雑な機構をそのまま適用させた包装装置を採用することは実質的に不可能である。そこで、本願人は、書籍販売店での使用に適し且つ大量処理が可能な自動シュリンク包装装置（実願平０８−９１００／登録第３２３４４６０号）、更には、これを改良して、書籍類の大きさや重量等に関わりなくランダムなシュリンク包装ができるようにした自動シュリンク包装装置（実願平１１−６５００／登録第３２６７５９２号）を提案し、これによって、書店でのシュリンク包装に関する多くの課題が解決された。
【０００４】
しかしながら、書店にとっては、立ち読み等の防止策とは別に盗難防止策も重要な課題となっており、そのため、販売展示する書籍に盗難防止用のラベルを貼着する方策が最近採用されてきている。この盗難防止策は、例えば、バーコード表示型式で表面に各店固有の磁性帯を着層してなるラベルを予め商品に貼着しておき、該ラベルの磁性帯から発せられる固有の磁波（通常は代金を支払う際にレジで消去される。）が店の出口に設置された検知器に反応してアラーム等の警報を発生させる方法によるもので、未払い商品の店外持ち出し防止策として従来より比較的大規模な販売店やレンタル店において採用されている。
【０００５】
近時、書店規模の大型化が進行し、そこでの盗難防止策も、従来一般的に採用されているビデオ装置による監視システムで対応することが困難となり、これに代わって前記した盗難防止用ラベル貼着方法が採用され始めている。しかしながら、書店又は書籍類には他種の店舗又は商品とは異なった特殊事情があって、この盗難防止用ラベルによる盗難防止策の採用を極めて困難なものとしている。
【０００６】
即ち、盗難防止用ラベルの採用を困難なものとしている特殊事情として、一つは、前記シュリンク包装の場合と同様に各書店がその都度独自に、限られた店舗スペースで機械操作に不慣れな店員によって行わなければならないということであり、また、より重大な事情として、他の商品はケース、袋、ビン、カン等からなる包装体によってパッケージされているので、盗難防止用ラベルを商品に直接ではなくその包装体に貼着することが可能であるのに対し、書籍類はパッケージされた形態で展示販売されるものではない（表紙や辞書類等でよくみられるケース自体も商品の一部となっている。）ので、盗難防止用ラベルを直接商品に貼着する以外にないという事情がある。従って、仮に、直接書籍本体、表紙、若しくはケースに盗難防止用のラベルを貼着してしまうと、多くは素材が紙であるために容易且つ完全に剥がすことが難しく、無理に剥がそうとすると貼着部分が破けてしまったり印刷面が剥離してしまったりして商品価値を落としてしまう等の問題が生じる。
【０００７】
【発明が解決しようとする課題】
本発明は、上記諸事情に鑑みなされたもので、特に書店にて展示販売されているコミック誌、写真集及び付録付雑誌等に有効なシュリンク包装と盗難防止用ラベル貼着との処理を、同時に又は選択的に行え、しかも、売場に設置しても違和感がないよう小型で、機械操作に不慣れな書店員にも簡単且つ安全に操作ができるよう操作性、機能性及び安全性に優れた書籍類のラベリング機構付きシュリンク包装装置を提供することを課題とするものである。
【０００８】
【課題を解決するための手段】
本発明は、特にコミック誌等の盗難被害に遭い易い書籍種類と、立ち読み被害に遭い易い書籍種類とが一致することに着目し、本願人提案による前記自動シュリンク包装装置を改良し、該装置に盗難防止用ラベルの自動貼着機構を組み込むことにしたものである。
【０００９】
即ち、上位投入口附近より下方に斜設したスライド板上をスライド落下する被包物の表裏面を予め連続させたシュリンクフィルムにて被包するとともに、その後方側縁にて重合するシュリンクフィルムを溶着溶断し、スライド板より落下する被包物をスライド板先端部直下にあってスライド板との隣接側が傾倒可能なよう軸設されたバケット上に係止載置せしめ、更に、該バケットの傾倒動作によりバケット直下に水平に張設されシュリンクトンネル内を走行する搬送コンベア上に被包物を移載せしめるよう構成したシュリンク包装装置に、ラベリング機構を具設する。
【００１０】
ラベリング機構は、前記バケットにラベル操出用の切欠孔を設けるとともに、バケット後方位にラベル片を連続仮着した帯状の剥離台紙を巻装したラベル供給ローラと、該剥離台紙を牽引する一対の回転駆動ローラと、剥離台紙の走行を案内するガイドローラ及びバケット傾倒時に該バケットに設けられた切欠孔との対応位置に軸架された反転ローラとからなるラベル片供給機構を配設し、剥離台紙を反転ローラを介して反対方向に折り返し走行させることにより、ラベル片を先端側から徐々に剥離させ、バケット傾倒時には後端側の僅かな一部を残して貼着面を上にバケット面上に操出されるよう構成する。
【００１１】
そして、バケットでの被包物の的確な載置とシュリンク機構への移送とを確保するため、落下被包物をバケット上にて係止するヘッドと、該ヘッドを先端に有しバケットが傾倒した際にバケット上に載置されている被包物を強制的に押し出すよう進出駆動するロッドとを備えたプッシャーをバケット支軸側後方附近に配設する。
【００１２】
また、ラベル片の被包フィルムへの確実な貼着を確保するため、バケットの傾倒復帰動作に同期して上下駆動する上側転支ローラと、該上側転支ローラと対となりバケットに載置された被包物を挟持しながら送り出すための下側転支ローラとをそれぞれバケットの上下対応位置に配設するとともに、バケットが傾倒した際に、下側転支ローラの上部がバケットの載置面より露出し、操出されたラベル片が下側転支ローラの露出上部に載上されるようバケットの切欠孔を形成し、更に、好ましくは、下側転支ローラに適宜手段をもって上方向への適度なスプリング附勢力を与えておくものである。
【００１３】
【発明の実施の形態】
以下、本発明の実施の形態を、図示実施例により説明する。
【００１４】
【実施例】
図面は、本発明に係るラベリング機構付きシュリンク包装装置の一実施例を示すもので、図１は同装置の全体概要を示す側面機構説明図、図２は同装置のスライド板部の構造略図、図３は同装置のバケット部の構造略図、図４はラベル片繰り出し機構の略図、図５及び図６は同装置の一連の動作説明図であり、Ａは被包物である書籍、Ｂ１、Ｂ２はシュリンクフィルム、Ｃは盗難防止用ラベル片、Ｄは剥離台紙を示す。
【００１５】
全体が分離可能な上位ケーシング１と下位ケーシング２とからなり、上位ケーシング１にあっては、投入口３に向かう投入面１ａを前方向への傾斜面とし、これと同一傾斜角からなる矩形板５を下位落下口に向かって斜設することによって連続するスライド板４を形成する。該スライド板４には、それぞれその両側に沿って対の幅規制枠７ａ、７ａと７ｂ、７ｂとが同一幅をもって固着され、更に、投入面１ａの矩形板５との隣接部附近には、横長のフィルム挿通孔８が形成されている。５ａ、５ａと６ａ、６ａとは、被包物（書籍）Ａの横幅に対応して投入スライドをガイドするそれぞれ対の幅規制枠で、固定された幅規制枠７ａ、７ａの中間に位置し、上方向にスプリング附勢されながらスライド板４より出没自在とされ、スライド板４との間で鋭角的段差が生じないよう手前端に向かって先細になるよう形成されている。
【００１６】
前記フィルム挿通孔８を境に、手前（投入口）側にはスライド板４上を通過する被包物Ａを察知するセンサー９を、前方（落下口）側にはカッター頭部を有する溶着溶断部１０を配置し、センサー９が被包物Ａの通過を察知すると溶着溶断部１０の頭部が矩形板５方向に直角に摺動し、矩形板５との挟圧及び加熱作用により後述の重合されたシュリンクフィルムＢ１・Ｂ２を被包物Ａの後方縁よりやや後方に沿って熱溶着すると同時に裁断するものである。
【００１７】
Ｂ１、Ｂ２は、それぞれが図示位置に配設されたフィルム供給ローラ１１ａ、１１ｂに巻装された透明なシュリンクフィルムで、一方のシュリンクフィルムＢ１は上側のフィルムガイドローラ１２ａ、１２ｂ、１２ｃに案内されて容着溶断部１０と矩形板５の間隙に繰り出され、他方のシュリンクフィルムＢ２は下側のフィルムガイドローラ１２ｄに案内されフィルム挿通孔８に挿通させて同じく容着溶断部１０と矩形板５の間隙に繰り出されるものである。初期作動に際しては、予め上下のシュリンクフィルムＢ１とＢ２とを上記のとおり繰り出し重合せしめ、その重合端を溶着溶断部１０を強制作動させることにより溶着裁断して連続したシュリンクフィルムＢ１・Ｂ２としておく。
【００１８】
１３は、下位ケーシング２内にあって、スライド板４より落下してきた被包物Ａを一旦載置するためスライド板４の下流端直下に配設された平面方形板状をなすバケットで、被包物Ａの未載置時にはスライド板４とほぼ同一傾斜角の載置面を維持し、被包物Ａの載置時にはスライド板４と隣接する先方側が下方に傾倒可能なよう、その後方側が回動軸１５で軸支されているとともに、伸縮駆動するシリンダーロッド１６にて傾倒自在に支持されている。また、該バケット１３の適宜箇所には、バケット１３が下方に傾倒した際に、後述する操出されてきたラベル片Ｃ及び下側の転支ローラ２１が露出状態になるようラベル操出孔１４ａとローラ露出孔１４ｂとが一体となった切欠孔１４が穿設されている。
【００１９】
１７は、ヘッド１８を備えたロッド１９が駆動力によって進退するプッシャーである。該プッシャー１７は、バケット１３上に落下してくる被包物Ａをバケット１３の後方側に位置するそのヘッド１８で係止し、バケット１３が傾倒した際にはそのロッド１９の進出によって被包物Ａを後述の搬送コンベア３１上に強制的に移送せしめ、移送完了後には直ちに該ロッド１９が背進復帰してバケット１３の復帰と併せて次の落下被包物Ａの係止に備えるもので、少なくとも、ロッド１９及びヘッド１８が傾倒した際のバケット１３の表面と僅かに離間して平行に進退するよう配設され、好ましくは、ヘッド１８の先端面１８ａが傾倒したバケット１３の表面と、また、ヘッド１８の上面１８ｂが復帰したバケット１３の表面と各々直角面をなすよう形成される。
【００２０】
２０、２１は、バケット１３上に落下載置された被包物Ａを挟持しながら送り出すために設けられた転支ローラで、上側転支ローラ２０は、前記回動軸１５の両側に一方後端側が軸着された左右のアーム２２、２２の他方先端間に軸架され、バケット１３の傾倒復帰動作に同期するアーム２２、２２に連結されたシリンダーロッド２３の進退駆動に従動して上下動し、また、下側転支ローラ２１は、バケット１３が下方に傾倒した際に切欠孔１４よりその上部が露出し、下降した上側転支ローラ２０と対接するような位置に軸架されている。なお、下側転支ローラ２１には適宜手段をもって上方向への適度なスプリング附勢力を与えておくと良い。
【００２１】
Ｄは、複数のラベル片Ｃを所定間隔で連続的に仮着した帯状の剥離台紙で、図示位置にあってローラ２４に巻装され、ガイドローラ２５及び反転ローラ２６を介して対の回転駆動ローラ２７、２８によって緊張状態に挟持牽引される。尚、２９はラベル片Ｃの操出とバケット１３の傾倒並びにプッシャー１７の駆動による被包物Ａの押し出し移送とを同期させるためのセンサーで、３０は剥離したラベル片Ｃが下側転支ローラ２０上に的確に操出されるよう案内するラベルガイド板である。
【００２２】
３１は、熱伝導率の優れた耐火耐熱性シートをもって作られ、プーリ３２ａ、３２ｂによりエンドレスに巻装された搬送コンベアで、前記バケット１３の傾倒先直下より排出口３６に至るまでの間水平に張設されており、該搬送コンベア３１の周囲には上下にヒーター３３、３４を備えたシュリンクトンネル３５が配設されている。
【００２３】
次に、本発明装置の動作を図５及び図６の原理機構図に従って説明すると、先ず、予め所定方向に繰り出して重合したシュリンクフィルムＢ１、Ｂ２を重合し、該重合部を溶着溶断部１０を強制作動させることによって溶着溶断して連続する一連のシュリンクフィルムＢ１・Ｂ２とする。その後、書籍等の被包物Ａを投入面１ａより投入口３にスライド投入する。投入された被包物Ａはその横幅によって適宜決定選択された一対の幅規制枠によって案内されながらスライド板４の傾斜角度と自重等によって決定される速度でシュリンクフィルムＢ１・Ｂ２方向へとスライド落下する。
【００２４】
スライド落下してきた被包物Ａの前方縁（本実施例では書籍の背部）が連続するシュリンクフィルムＢ１・Ｂ２に当接し、更にスライド板４を落下移動していくと、被包物Ａの落下力やフィルム供給ローラ１１ａ、１１ｂに予め与えられている回転駆動力によってシュリンクフィルムＢ１、Ｂ２が双方から繰り出され、被包物Ａの表裏面を前方縁より覆っていき、更に、この状態で被包物Ａがスライド落下を続け、その後方縁が溶着溶断部１０を通過すると、溶着溶断部１０の頭部が矩形板５方向に摺動し、被包物Ａの後方縁より僅か後方にてシュリンクフィルムＢ１・Ｂ２を重合溶着すると同時にこれを裁断して被包物Ａを筒状に被包する。この際、シュリンクフィルムＢ１・Ｂ２の未使用部分は、裁断時の熱溶着によってなおも連続しており、次の被包に備える。
【００２５】
続いて、シュリンクフィルムＢ１・Ｂ２によって筒状に被包された状態での被包物Ａが更にスライドしてバケット１３上に落下し、プッシャー１７のヘッド先端面１８ａに係止され完全に載置されると、それまでバケット１３を支持していたシリンダーロッド１６が縮動し、これに従動してバケット１３が回動軸１５を軸点としてその先方側が搬送コンベア３１方向に傾倒する。
【００２６】
上記バケット１３の傾倒に関係して、複数のラベル片Ｃを連続的に仮着した剥離台紙Ｄが、ガイドローラ２５に案内されながら供給され、供給されてきた剥離台紙Ｄは、反転ガイドローラ２６によって折り返され反対方向に走行する。この折り返し走行によって、ラベル片Ｃのみが先端側から徐々に剥離し、バケット１３が傾倒する直前までに、後端側の僅かな一部を残して貼着面を上にラベルガイド板３０に案内され前記下側転支ローラ２１の上側に操出される。ラベル片Ｃの上記操出動作は、剥離台紙Ｄの緊張状態での反転走行によるものであるが、当然のことながら、その前提として、剥離台紙Ｄとラベル片Ｃの材質や厚さ等を違えることによって、両者の剛性力や弾性力に差異を持たせることや、ラベルＣの剥離台紙Ｄへの仮着力の調整が必要となる。
【００２７】
ラベル片Ｃが上記状態にて転支ローラ２１の上側に操出されたことをセンサー２９が感知すると、シリンダーロッド１６が縮動してバケット１３を下方に傾倒させる。この時、転支ローラ２１の上側に操出されているラベル片Ｃは、貼着面を上にして転支ローラ２１の上側部と共にバケット１３の載置面に穿設された切欠孔１４より露出された状態になっているため、バケット１３の傾倒と共に下降してきた被包物Ａの自重によって、被包物Ａを覆っているシュリンクフィルムＢ１・Ｂ２の下面部に貼着する。
【００２８】
上記バケット１３の傾倒動作に同期して、上側転支ローラ２０がシリンダーロッド２３の駆動により回動するアーム２２、２２に従動して下降し、下側転支ローラ２１と対となってバケット１３上に載置された被包物Ａを挟持する。続いて、プッシャー１７が作動してロッド１９を進出させヘッド１８の上面１８ｂでバケット１３上の被包物Ａを押圧し、搬送コンベア３１上に強制的に移載する。この時、被包物Ａは上下の転支ローラ２０、２１によって挟圧されながら移送されるため、ラベル片Ｃは剥離台紙Ｄより完全に剥離するとともに、被包物Ａを覆うシュリンクフィルムＢ１・Ｂ２に強固に貼着される。被包物Ａを搬送コンベア３２に移載後には、プッシャー１７は直ちにロッド１９が背進復帰してバケット１３及び上側転支ローラ２０の復帰と併せて次の落下被包物Ａの係止に備える。上記した被包物Ａがバケット１３上に落下してから搬送コンベア３１に移載されるまでの動作の全ては、連係するよう自動制御されている。
【００２９】
搬送コンベア３１上に移載された被包物Ａは、該搬送コンベア３１によりシュリンクトンネル３５内を排出口３６方向へ移送され、この移送過程で被包物Ａを覆う筒状のシュリンクフィルムＢ１・Ｂ２がヒーター３３、３４の加熱作用により収縮し、被包物ＡをシュリンクフィルムＢ１・Ｂ２が固定保持して排出口３６より搬出する。本発明装置は上記一連の動作を繰り返して行うものである。
【００３０】
【発明の効果】
本発明装置によれば、特に書店にて展示販売されているコミック誌、写真集及び雑誌等の立ち読み防止と盗難防止に有効な手段であるシュリンクフィルムによる包装と盗難防止用ラベル貼着との処理を、被包物の大きさや形状等に関わりなく一度に行うことができ、しかも、これら書籍類に直接盗難防止用のラベルを貼り付けることもないので、商品価値を損ねることもない。
【００３１】
また、本発明装置は、フィルム被包、被包物の移送及びラベル貼着を被包物のスライド落下力と自重とを有効に活用して行う構成としてあるため、各機構においてそれ程大きな駆動力を必要とせず、その結果、大量処理が可能でありながら装置全体の構成を簡素化して小型軽量化と低価格化が達成できる。
【図面の簡単な説明】
【図１】本発明の一実施例装置の全体概要を示す側面機構説明図ある。
【図２】同上装置のスライド板部分の構造略図である。
【図３】同上装置のバケット附近の構造略図である。
【図４】同上装置のラベル貼着機構部の構造略図である。
【図５】同上装置による被包物が投入されてからバケット上に落下載置されるまでの一連の動作原理図ある。
【図６】同上装置による被包物がバケットからシュリンクトンネル経て排出口より搬出されるまでの一連の動作原理図ある。
【符号の説明】
Ａ：被包物（書籍）
Ｂ１、Ｂ２：シュリンクフィルム
Ｂ１・Ｂ２：連続したシュリンクフィルム
Ｃ：盗難防止用ラベル
Ｄ：剥離台紙
１：上位ケーシング
１ａ：投入面
２：下位ケーシング
３：投入口
４：スライド板
５：矩形板
７ａ、７ｂ：幅規制枠
８：フィルム挿通孔
９：センサー
１０：溶着溶断部
１３：バケット
１４：切欠孔
１５：回動軸
１７：プッシャー
２０、２１：転支ローラ
２６：反転ローラ
３１：搬送コンベア
３５：シュリンクトンネル
３６：排出口
【図１】
2004018015.tif 000003
【図２】
2004018015.tif 000004
【図３】
2004018015.tif 000005
【図４】
2004018015.tif 000006
【図５】
2004018015.tif 000007
【図６】
2004018015.tif 000008